(57)【要約】      （修正有）【課題】冷蔵庫における湿度を十分に確保して食品が乾燥するのを防止する冷蔵庫を提供する。【解決手段】冷蔵庫１は、温度を所定の冷蔵温度帯に保つ冷蔵室１１と、冷蔵室１１を所定の温度に冷却する蒸発器４１と、冷蔵室１１内に設置され冷蔵室１１内の所定容積を有する空間を隔成することにより形成され空間内の気密性が保持された加湿室２と、加湿室２を加湿する加湿器３０とを備えている。加湿器３０は冷蔵庫１の背面側外部に配置され、加湿器３０には冷蔵室１１の内外に連通させて配設されて加湿室２と加湿器３０とを接続する送風路３１ａが設けられている。加湿室２内には加湿器３０から供給された水分を噴霧する噴霧器３３が設けられている。【選択図】図５
0003227961.tif 000002
【実用新案登録請求の範囲】
【請求項１】
温度を所定の冷蔵温度帯に保つ貯蔵室と、
前記貯蔵室を所定の温度に冷却する蒸発器と、
前記貯蔵室内に設置され、前記貯蔵室内の所定容積を有する空間を隔成することにより形成され、前記空間内の気密が保持された加湿室と、
前記加湿室を加湿する加湿器と
を備えることを特徴とする冷蔵庫。
【請求項２】
前記加湿器は、前記冷蔵庫の背面側外部に配置され、
前記加湿器には、前記貯蔵室の内外に連通させて配設されて前記加湿室と前記加湿器とを接続する送風路が設けられ、
前記加湿室内には、前記加湿器から供給された水分を噴霧する噴霧器が設けられている
ことを特徴とする請求項１に記載の冷蔵庫。
【請求項３】
加湿用の水を貯蔵し、貯蔵した前記水を前記加湿器に供給する給水器と、
前記貯蔵室の内外に連通させて配設され、前記給水器に貯蔵された水を前記加湿器に流通させる流水路と
をさらに備え、
前記給水器は、前記貯蔵室内に配置されていることを特徴とする請求項１又は２に記載の冷蔵庫。
【請求項４】
前記貯蔵室を開閉する開閉扉と、
前記貯蔵室内において前記加湿室を開閉する内部開閉扉と
をさらに備えることを特徴とする請求項１乃至３のいずれかに記載の冷蔵庫。
【請求項５】
前記内部開閉扉は、水平に屈曲される多数の屈曲部を有し前記加湿室前面から前記加湿室内上部に沿って屈曲しつつ進退されて開閉することを特徴とする請求項４に記載の冷蔵庫。
【請求項６】
前記加湿室内の左右両側面において加湿室前面から上部にわたって左右一対のレールをさらに備え、
前記一対のレールは、前記加湿室前面側において、下方から上方へ向かって垂直方向に延びるとともに、前記加湿室前面上部において前記加湿室の奥行き方向へカーブされ、前記加湿室の天面下方において前記加湿室の奥行き方向に延びており、
前記内部開閉扉の両端は前記レールにそれぞれ嵌合されて左右のレールにより挟持された状態となっている
ことを特徴とする請求項５に記載の冷蔵庫。
【請求項７】
冷蔵庫の貯蔵室内に設置され、前記貯蔵室内の所定容積を有する空間を隔成することにより形成され、前記空間内の気密が保持された加湿室と、
前記加湿室を加湿する加湿手段と
を備え、
前記加湿器は、前記冷蔵庫の背面側外部に配置され、
前記加湿器には、前記貯蔵室の内外に連通させて配設されて前記加湿室と前記加湿器とを接続する送風路が設けられ、
前記加湿室内には、前記加湿器から供給された水分を噴霧する噴霧器が設けられている
ことを特徴とする冷蔵庫用加湿器。
【請求項８】
加湿用の水を貯蔵し、貯蔵した前記水を前記加湿器に供給する給水器と、
前記貯蔵室の内外に連通させて配設され、前記給水器に貯蔵された水を前記加湿器に流通させる流水路と
をさらに備え、
前記給水器は、前記貯蔵室内に配置されていることを特徴とする請求項７に記載の冷蔵庫用加湿器。
【請求項９】
前記貯蔵室内において前記加湿室を開閉する内部開閉扉とをさらに備え、
前記内部開閉扉は、水平に屈曲される多数の屈曲部を有し前記加湿室前面から前記加湿室内上部に沿って屈曲しつつ進退されて開閉することを特徴とする請求項７又は８に記載の冷蔵庫用加湿器。
【請求項１０】
前記加湿室内の左右両側面において加湿室前面から上部にわたって左右一対のレールをさらに備え、
前記一対のレールは、前記加湿室前面側において、下方から上方へ向かって垂直方向に延びるとともに、前記加湿室前面上部において前記加湿室の奥行き方向へカーブされ、前記加湿室の天面下方において前記加湿室の奥行き方向に延びており、
前記内部開閉扉の両端は前記レールにそれぞれ嵌合されて左右のレールにより挟持された状態となっている
ことを特徴とする請求項８に記載の冷蔵庫用加湿器。
【考案の詳細な説明】
【技術分野】
【０００１】
本考案は、温度を所定の冷蔵温度帯に保ち、食品等を冷凍保存するための冷蔵庫及び冷蔵庫用加湿器に関する。
【背景技術】
【０００２】
従来の冷蔵庫は、庫内を冷却するものであるため庫内が乾燥して食品の鮮度が損なわれるという問題があった。このため、従来より庫内の食品の鮮度を維持しつつ、湿度を良好に制御可能な冷蔵庫が望まれている。このような技術に関連して、特許文献１に開示されたような技術が提案されている。この特許文献１に開示された冷蔵庫では、少なくとも冷蔵室と野菜室と冷凍室とを備え、冷蔵室と野菜室を１つの空間とし、この空間を冷却する専用冷却器と、冷凍室専用の冷却器を備えている。このような特許文献１に記載の冷蔵庫によれば、プラス温度とマイナス温度に冷蔵庫の空間を分け、プラス温度用の専用冷却器とマイナス温度用の冷却器を設けることで、冷却器の小型化と、プラス温度室の高湿化を実現する。
【先行技術文献】
【特許文献】
【０００３】
【特許文献１】特開２００６−２５０４０６号公報
【考案の概要】
【考案が解決しようとする課題】
【０００４】
しかしながら、特許文献１記載の冷蔵庫は、冷蔵室に設けられた冷却器で冷蔵室は約３℃、野菜室は約６℃に保持して、その温度差を利用して湿度を変化させるため、湿度が十分に得られないという問題があった。
【０００５】
本考案は、このような従来の問題を解決するもので、湿度を十分に確保して、食品が乾燥するのを有効に防止できる冷蔵庫及び冷蔵庫用加湿器を提供することを目的とする。
【課題を解決するための手段】
【０００６】
上記課題を解決するために、本考案は、温度を所定の冷蔵温度帯に保つ貯蔵室と、貯蔵室を所定の温度に冷却する蒸発器と、貯蔵室内に設置され、貯蔵室内の所定容積を有する空間を隔成することにより形成されて空間内の気密性が保持された加湿室と、加湿室を加湿する加湿器とを備える。
【０００７】
上記考案において、加湿器は冷蔵庫の背面側外部に配置され、加湿器には貯蔵室の内外に連通させて配設されて加湿室と加湿器とを接続する送風路が設けられていることが好ましい。上記考案において、加湿用の水を貯蔵し貯蔵した水を加湿器に供給する給水器と、貯蔵室の内外に連通させて配設され給水器に貯蔵された水を加湿器に流通させる流水路とをさらに備え、給水器は貯蔵室内に配置されていることが好ましい。
【０００８】
上記考案において、貯蔵室を開閉する開閉扉と、貯蔵室内において加湿室を開閉する内部開閉扉とをさらに備えることが好ましい。また、上記考案において、内部開閉扉は、水平に屈曲される多数の屈曲部を有し加湿室前面から加湿室内上部に沿って屈曲しつつ進退されて開閉することが好ましい。
【考案の効果】
【０００９】
本考案に係る冷蔵庫によれば、貯蔵室内には気密に保たれた加湿室が設置され、加湿器によって加湿室内を加湿したり、加湿器から供給される噴霧器から水や水蒸気等の水分を噴霧するため、加湿室内に収納した食品が乾燥するのを防止できる。
【図面の簡単な説明】
【００１０】
【図１】実施形態に係る冷蔵庫の外観構成（内部開閉扉を閉じた状態）を示す斜視図である。
【図２】実施形態に係る冷蔵庫の外観構成（内部開閉扉を開いた状態）を示す斜視図である。
【図３】実施形態に係る冷蔵庫の外観構成（内部開閉扉を閉じた状態）を拡大して示す斜視図である。
【図４】実施形態に係る冷蔵庫内の加湿室の外観構成を示す側面図である。
【図５】実施形態に係る冷蔵庫の側断面図である。
【図６】実施形態に係る冷蔵庫を一部透過して示す正面図である。
【図７】実施形態の変更例に係る加湿室の側断面図である。
【図８】実施形態の変更例に係る加湿室の斜視図である。
【考案を実施するための形態】
【００１１】
（冷蔵庫の構成）
本考案の実施の形態を図に示して説明する。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、実用新案登録請求の範囲において、種々の変更を加えることができる。
【００１２】
図１〜図６に示すように、冷蔵庫１は、本体となる箱体１０を基体とし、上部の冷蔵室１１及び下部の冷凍室１２の２つの貯蔵室を有している。冷蔵庫１はそれぞれの貯蔵室の開口を開閉するドアを備えている。これらのドアは、冷蔵室１１の開口を開閉する冷蔵室ドア１１１と、冷凍室１２の開口を開閉する製氷室ドア１２１である。なお、各ドアの内部には、ドアの厚さを比較的薄くしても外気からの熱の侵入を抑え、またドア表面に結露が生じないよう真空断熱材が設けられている。冷蔵庫１とドア１１１，１２１を固定するためにドアヒンジが冷蔵室１１上部及び下部に設けてあり、上部のドアヒンジはドアヒンジカバーで覆われている。
【００１３】
冷凍室１２は、基本的に庫内を冷凍温度帯（０℃未満）の例えば平均的に−１８℃程度にした冷凍貯蔵室であり、冷蔵室１１は庫内を冷蔵温度帯（０℃以上）の例えば平均的に４℃程度にした冷蔵貯蔵室である。
【００１４】
箱体１０は、発泡断熱材（例えば発泡ウレタン）が充填された板材で取り囲むようにして函体に構成されており、これら板材によって冷蔵庫１の庫外と庫内が隔てられている。箱体１０は発泡断熱材に加えて複数の真空断熱材が鋼板製の外箱と合成樹脂製の内箱との間に実装されている。具体的に本実施形態では、背面、両側面、底面に真空断熱材が設けられている。また、冷蔵室１１と冷凍室１２は断熱仕切壁１０１によって隔てられ、断熱仕切壁１０１内にも真空断熱材が設けられている。
【００１５】
本実施形態の冷蔵庫１では、蒸発器４１及び４２の周辺の低温空間と、冷蔵室１１若しくは冷凍室１２との間に断熱仕切壁１１３，１２３が設けられており、これらの断熱仕切壁１１３，１２３にも真空断熱材が設けられている。本実施形態に係る冷蔵庫１では、断熱仕切壁１０１，１１３，１２３の内部に真空断熱材を設け上面、背面、及び底面からの過度の冷却を抑えて省エネルギー性能を高めている。
【００１６】
冷蔵室１１の冷蔵室ドア１１１の庫内側には複数のドアポケット１１１ａが設けられており、また庫内には複数の棚１１ａ，１１ｂを設けることで冷蔵室１１内が複数の貯蔵スペースに区画されている。冷凍室１２には冷凍室容器１２ａを備えている。
【００１７】
冷蔵室１１、冷凍室１２の庫内背面側には、それぞれ冷蔵室温度センサ４１２及び冷凍室温度センサ４２２等の各種センサが設けられ、蒸発器４１及び蒸発器４２には蒸発器温度センサ４１ａ，４２ａが設けられ、これらのセンサにより冷蔵室１１、冷凍室１２、蒸発器４１及び蒸発器４２の温度を検知している。
【００１８】
冷蔵庫１の上部には制御装置の一部であるＣＰＵ、ＲＯＭやＲＡＭ等のメモリ、インターフェース回路等を搭載した制御基板１０ａが配置されている。この制御基板１０ａには外気温度・外気湿度センサ１０ｂ、冷蔵室温度センサ４１２、冷凍室温度センサ４２２及び蒸発器温度センサ４１ａ，４２ａ等が接続され、なお、前述のＣＰＵは、これらの出力値や操作部における設定、前述のＲＯＭに予め記録されたプログラム等を基に、圧縮機やファン各ダンパ及び冷媒制御弁の制御等を行っている。
【００１９】
冷蔵用蒸発器である蒸発器４１は冷蔵室１１の略背部に設けてある。蒸発器４１と熱交換して低温になった空気は、蒸発器４１の冷蔵用ファン４１１により上部ダクト４１３を通じて吹出口４１４から冷蔵室１１に送風されて冷蔵室１１内を冷却する。冷蔵室１１に送風された空気は冷蔵室戻り口４１５から下部ダクト４１６を通じて蒸発器４１へと戻り、再び蒸発器４１により冷却される。同様に、蒸発器４２と熱交換して低温になった空気は、蒸発器４２の冷凍用ファン４２１により上部ダクト４２３を通じて吹出口４２４から冷凍室１２に送風されて冷凍室１２内を冷却する。冷凍室１２に送風された空気は冷凍室戻り口４２５から下部ダクト４２６を通じて蒸発器４２へと戻り、再び蒸発器４２により冷却される。冷蔵室戻り口４１５及び冷凍室戻り口４２５には細いスリットなどを設けて食品等のつまりを防止している。
【００２０】
本実施形態の冷蔵庫１内では、冷蔵室ドア１１１を閉じるとパッキングにより冷蔵室ドア１１１と冷蔵室１１が隙間なく接触して完全に密閉される気密構造としている。加えてポンプ１０ｃが設けられており、これにより冷却空間の内部を例えば０．８気圧程度に減圧し、冷蔵室１１内に設けた食品の酸化を抑制している。
【００２１】
冷蔵室１１は、断熱仕切壁を介して冷凍室１２と隣接されており、冷凍室１２による吸熱により冷蔵室１１よりも低温な冷凍温度帯の氷温モード（例えば約−３〜０℃）にできるようにしている。また、断熱仕切壁内にはヒータ１０１ａを設けており、ヒータ１０１ａの制御等により冷蔵室１１の温度に近い冷蔵温度帯（例えば約０〜３℃）にするチルドモードにも設定できるようにしている。なお、これらの温度モードの切り替えは操作部１０ｄにより行う。
【００２２】
本実施形態では、冷蔵室１１内には加湿室２が設置されている。この加湿室２は、冷蔵室１１内の所定容積を有する空間を隔成して形成されており、加湿室２の空間内は気密に保持されている。具体的にこの加湿室２には、冷蔵室１１内において加湿室２を開閉する内部開閉扉２１が備えられている。この内部開閉扉２１はドアヒンジで手前に開閉するように取付けられており、閉止状態において加湿室２本体の開口周縁に合致する形状となっている。そして、この内部開閉扉２１の周縁にはゴムや樹脂などの弾力性の素材で形成されたパッキングが取付けられており、パッキングが隙間なく接触して完全に密閉される気密構造としている。
【００２３】
また、この加湿室２には、加湿室２内を加湿する加湿器３０が接続されている。この加湿器３０は冷蔵庫１の背面側外部に配置され、加湿器３０には冷蔵室１１の内外に連通させる送風路３１ａが配設されている。送風路３１ａは、加湿室２と加湿器３０とを接続するダクト若しくはパイプであり、加湿器３０には冷蔵室１１の内外に連通させて配設されて加湿室２と加湿器３０とを接続する送風路３１ａが設けられ、加湿室２内には加湿器３０から供給された水蒸気を噴霧する噴霧器３３が設けられている。
【００２４】
さらに、加湿用の水を貯蔵し貯蔵した水を加湿器３０に供給する給水器３２と、冷蔵室１１の内外に連通させて配設され給水器３２に貯蔵された水を加湿器３０に流通させる流水路３１ｂとが設けられている。給水器３２は、冷蔵室１１内に配置されている。また、給水器３２は冷蔵室１１内に配置されている。
【００２５】
（変更例）
なお、以上説明した各実施形態の説明は、本考案の一例である。このため、本考案は上述した実施形態に限定されることなく、本考案に係る技術的思想を逸脱しない範囲であれば、設計等に応じて種々の変更が可能である。例えば、上述した実施形態で説明した内部開閉扉２１に代えて、図７及び図８に示すように、水平に屈曲される多数の屈曲部を有し加湿室２前面から加湿室２内上部に沿って屈曲しつつ進退されて開閉するシャッター２１’とすることができる。
【００２６】
詳述すると、加湿室２内の左右両側面において、加湿室２前面から上部にわたって左右一対のレール２２，２２を設ける。このレール２２，２２は、加湿室２前面側において、下方から上方へ向かって垂直方向に延びるとともに、加湿室２前面上部において加湿室２の奥行き方向へカーブされ、加湿室２の天面下方において、加湿室２の奥行き方向に延びている。
【００２７】
上記シャッター２１’は、スラットと呼ばれる水平方向に横長で細長の板部材を、水平に屈曲される屈曲部を介して複数枚連結して面状に形成されている。スラットは例えば硬化プラスチックやステンレス等の硬質部材で形成され、連結部分は蝶番や可撓性部材などの屈曲可能な部材で形成されている。
【００２８】
上記シャッター２１’の各スラット両端は上記レール２２，２２にそれぞれ摺動可能に嵌合されており、左右のレールにより挟持された状態となっている。この状態において最下端のスラットを上下させることにより、シャッター２１’全体が加湿室２前面の開口部分において上下に水雷土移動されて、開閉される。
【００２９】
すなわち、シャッター２１’の開放は、加湿室２前面から加湿室２内上部に沿って屈曲しつつ後退させて、天面部分に流し込み収納される。一方、閉止は天面部分に流し込み収納されたシャッター２１’の前端部分のスラットを下方へ引き下げることにより、垂直方向に沿って下降させて、加湿室２前面の開放部分を塞ぐ。
【００３０】
（作用・効果）
このように本実施形態に係る冷蔵庫によれば、冷蔵室１１内には気密に保たれた加湿室２が設置され、加湿器３０によって加湿室２内を加湿したり、加湿器３０から供給される噴霧器３３から水や水蒸気等の水分を噴霧するため、加湿室２内に収納した食品が乾燥するのを防止できる。
【００３１】
なお、本考案は、上記した各実施の形態そのままに限定されるものではなく、実施段階ではその要旨を逸脱しない範囲で構成要素を変形して具体化できる。また、上記実施の形態に開示されている複数の構成要素の適宜な組み合せにより、種々の考案を形成できる。例えば、実施の形態に示される全構成要素から幾つかの構成要素を削除してもよい。
【符号の説明】
【００３２】
１…冷蔵庫
２…加湿室
１０…箱体
１０ａ…制御基板
１０ｂ…外気温度・外気湿度センサ
１０ｃ…ポンプ
１０ｄ…操作部
１１…冷蔵室
１１ａ，１２ａ…断熱仕切壁
１２…冷凍室
１２ａ…冷凍室容器
２１…シャッター
３０…加湿器
３１ａ…送風路
３１ｂ…流水路
３２…給水器
３３…噴霧器
４１，４２…蒸発器
４１ａ，４２ａ…蒸発器温度センサ
１０１，１１３，１２３…断熱仕切壁
１０１ａ…ヒータ
１１１…冷蔵室ドア
１１１ａ…ドアポケット
１２１…製氷室ドア
４１１…冷蔵用ファン
４１２…冷蔵室温度センサ
４１３，４２３…上部ダクト
４１４，４２４…吹出口
４１５…冷蔵室戻り口
４１６，４２６…下部ダクト
４２１…冷凍用ファン
４２２…冷凍室温度センサ
４２５…冷凍室戻り口
【図１】
0003227961.tif 000003
【図２】
0003227961.tif 000004
【図３】
0003227961.tif 000005
【図４】
0003227961.tif 000006
【図５】
0003227961.tif 000007
【図６】
0003227961.tif 000008
【図７】
0003227961.tif 000009
【図８】
0003227961.tif 000010
【手続補正書】
【提出日】令和2年6月23日(2020.6.23)
【手続補正１】
【補正対象書類名】実用新案登録請求の範囲
【補正対象項目名】全文
【補正方法】変更
【補正の内容】
【実用新案登録請求の範囲】
【請求項１】
温度を所定の冷蔵温度帯に保つ貯蔵室と、
前記貯蔵室を所定の温度に冷却する蒸発器と、
前記貯蔵室内に設置され、前記貯蔵室内の所定容積を有する空間を隔成することにより形成され、前記空間内の気密が保持された加湿室と、
前記加湿室を加湿する加湿器と
を備えることを特徴とする冷蔵庫。
【請求項２】
前記加湿器は、前記冷蔵庫の背面側外部に配置され、
前記加湿器には、前記貯蔵室の内外に連通させて配設されて前記加湿室と前記加湿器とを接続する送風路が設けられ、
前記加湿室内には、前記加湿器から供給された水分を噴霧する噴霧器が設けられている
ことを特徴とする請求項１に記載の冷蔵庫。
【請求項３】
加湿用の水を貯蔵し、貯蔵した前記水を前記加湿器に供給する給水器と、
前記貯蔵室の内外に連通させて配設され、前記給水器に貯蔵された水を前記加湿器に流通させる流水路と
をさらに備え、
前記給水器は、前記貯蔵室内に配置されていることを特徴とする請求項１又は２に記載の冷蔵庫。
【請求項４】
前記貯蔵室を開閉する開閉扉と、
前記貯蔵室内において前記加湿室を開閉する内部開閉扉と
をさらに備えることを特徴とする請求項１乃至３のいずれかに記載の冷蔵庫。
【請求項５】
前記内部開閉扉は、水平に屈曲される多数の屈曲部を有し前記加湿室前面から前記加湿室内上部に沿って屈曲しつつ進退されて開閉することを特徴とする請求項４に記載の冷蔵庫。
【請求項６】
前記加湿室内の左右両側面において加湿室前面から上部にわたって左右一対のレールをさらに備え、
前記一対のレールは、前記加湿室前面側において、下方から上方へ向かって垂直方向に延びるとともに、前記加湿室前面上部において前記加湿室の奥行き方向へカーブされ、前記加湿室の天面下方において前記加湿室の奥行き方向に延びており、
前記内部開閉扉の両端は前記レールにそれぞれ嵌合されて左右のレールにより挟持された状態となっている
ことを特徴とする請求項５に記載の冷蔵庫。
【請求項７】
冷蔵庫の貯蔵室内に設置され、前記貯蔵室内の所定容積を有する空間を隔成することにより形成され、前記空間内の気密が保持された加湿室と、
前記加湿室を加湿する加湿器と
を備え、
前記加湿器は、前記冷蔵庫の背面側外部に配置され、
前記加湿器には、前記貯蔵室の内外に連通させて配設されて前記加湿室と前記加湿器とを接続する送風路が設けられ、
前記加湿室内には、前記加湿器から供給された水分を噴霧する噴霧器が設けられている
ことを特徴とする冷蔵庫用加湿器。
【請求項８】
加湿用の水を貯蔵し、貯蔵した前記水を前記加湿器に供給する給水器と、
前記貯蔵室の内外に連通させて配設され、前記給水器に貯蔵された水を前記加湿器に流通させる流水路と
をさらに備え、
前記給水器は、前記貯蔵室内に配置されていることを特徴とする請求項７に記載の冷蔵庫用加湿器。
【請求項９】
前記貯蔵室内において前記加湿室を開閉する内部開閉扉とをさらに備え、
前記内部開閉扉は、水平に屈曲される多数の屈曲部を有し前記加湿室前面から前記加湿室内上部に沿って屈曲しつつ進退されて開閉することを特徴とする請求項７又は８に記載の冷蔵庫用加湿器。
【請求項１０】
前記加湿室内の左右両側面において加湿室前面から上部にわたって左右一対のレールをさらに備え、
前記一対のレールは、前記加湿室前面側において、下方から上方へ向かって垂直方向に延びるとともに、前記加湿室前面上部において前記加湿室の奥行き方向へカーブされ、前記加湿室の天面下方において前記加湿室の奥行き方向に延びており、
前記内部開閉扉の両端は前記レールにそれぞれ嵌合されて左右のレールにより挟持された状態となっている
ことを特徴とする請求項９に記載の冷蔵庫用加湿器。